(57)【要約】【課題】基板を外装近辺に配置した場合、外部アクセサリの固定部材と兼用の保持部材に保持することがある。その際、大きな外力が加わることになるため、基板へ外力が伝わりにくい構成が必要となってくる。【解決手段】第一の保持部材と基板２つのビスで固定され、第一の保持部材は、本体部から腕部が形成されており、前記２つのビスは第一の腕部と第二の腕部の延長上に配置され、前記第一の腕部と第二の腕部と、本体部との接続部をそれぞれ第一の支点、第二の支点とし、前記２つの固定部がなす方向において、第一の支点と第二の支点の距離が、前記基板の外形の半分以下であり、前記２つの固定部と第一の支点、第二の支点は重ならない。【選択図】図９
2018146777.tif 000002
【特許請求の範囲】
【請求項１】
アクセサリが２つの固定部で固定される第一の保持部材と、
弾性体からなる第二の保持部材により、基板が保持される保持構造において、
第一の保持部材と基板は２つのビスで固定され、
第一の保持部材は、本体部から腕部が形成されており、
前記２つのビスは第一の腕部と第二の腕部の延長上に配置され、
前記第一の腕部と第二の腕部と、本体部との接続部をそれぞれ第一の支点、第二の支点とし、
前記２つの固定部がなす方向において、
第一の支点と第二の支点の距離が、前記基板の外形の半分以下であり、
前記２つの固定部と第一の支点、第二の支点は重ならないことを特徴とする保持構造。
【発明の詳細な説明】
【技術分野】
【０００１】
本発明は、アクセサリ取り付け部の保持構造に関するものである。
【背景技術】
【０００２】
近年、撮像装置の性能が向上しており、そのため各種素子を実装している基板も大型化している。更に撮像装置の小型化が進んでいるため、基板をいくつかに分けて配置する必要がある。外部アクセサリの近辺に配置した場合、外部アクセサリからの外力は構造上大きくなることが多く、その外力から基板を保護する必要がある。従来から、撮像装置の基板への負荷を軽減する構造についての特許が考案されている。
【先行技術文献】
【特許文献】
【０００３】
【特許文献１】特開２０１２−６０６８５号公報
【発明の概要】
【発明が解決しようとする課題】
【０００４】
しかしながら、上記従来例では、基板を保持している部材に大きな外力が加わることは想定していなかった。
【課題を解決するための手段】
【０００５】
上記目的を達成するために、本出願に係る第一の発明は、
アクセサリが２つの固定部で固定される第一の保持部材と、
弾性体からなる第二の保持部材により、基板が保持される保持構造において、
第一の保持部材と基板は２つのビスで固定され、
第一の保持部材は、本体部から腕部が形成されており、
前記２つのビスは第一の腕部と第二の腕部の延長上に配置され、
前記第一の腕部と第二の腕部と、本体部との接続部をそれぞれ第一の支点、第二の支点とし、
前記２つの固定部がなす方向において、
第一の支点と第二の支点の距離が、前記基板の外形の半分以下であり、
前記２つの固定部と第一の支点、第二の支点は重ならないことを特徴とする。
【発明の効果】
【０００６】
以上説明したように、本発明によれば、外部アクセサリの近辺に基板を配置した場合でも、外部アクセサリから基板に伝達される外力を軽減することが可能となる。
【図面の簡単な説明】
【０００７】
【図１】撮像装置１の外観斜視図。
【図２】撮像装置１の外観斜視図。
【図３】撮像装置１にハンドルユニット４を取り付けた外観斜視図。
【図４】撮像装置１にハンドルユニット４を取り付けた外観斜視図。
【図５】ハンドルユニット４と簡略化した撮像装置１の斜視図。
【図６】撮像装置１の主要な部品を示した分解斜視図。
【図７】オーディオ基板１０を構成する部品の分解斜視図。
【図８】オーディオ基板１０を構成する部品の分解斜視図。
【図９】オーディオ基板１０を構成する部品の上面図。
【図１０】上面保持プレート１２の上面図。
【図１１】基板ホルダー１１の上面図。
【図１２】オーディオ基板１０の上面図。
【図１３】オーディオ基板１０周辺部品について、主要な部品構成を示した分解斜視図。
【図１４】オーディオ基板１０周辺部品について、主要な部品構成を示した分解斜視図。
【図１５】ハンドルユニット４とその主要な周辺部品を示した上面図。
【図１６】Ａ−Ａ断面図。
【図１７】ハンドルユニット４とその主要な周辺部品を示した側面図。
【発明を実施するための形態】
【０００８】
＜第１の実施形態＞
以下、図面を参照しながら、本発明を実施するための形態についての説明を行う。なお、図中に記載しているＺ方向は、撮影の方向、すなわち撮像面の法線方向を示しており、被写体側を＋としている。
【０００９】
図１、図２は、本発明における撮像装置１の外観斜視図である。撮像装置１はレンズマウント部を備えており、撮影時には、キャップ２を外して各種レンズを装着し、撮影する。レンズを通して撮影された光学像が不図示のセンサに取り込まれ、各種メディアに記録される。また、撮像装置１は回動可能なファインダ部３を備えており、撮影画像等の確認が可能となっている。上面カバー５には２つの固定ベース６が備えられ、その中央にはタップ部７ａが設けられている。このタップ部７ａは、後述するタップベース７に設けられている。
【００１０】
図３、図４は、撮像装置１にハンドルユニット４を取り付けた外観斜視図であり、また図５はハンドルユニット４と簡略化した撮像装置１の斜視図である。ハンドルユニット４の把持部４００は、図に示すようにＺ方向に沿って形成されている。
【００１１】
図５において、固定ベース６には山谷形状を構成する凹凸が設けられており、同様の形状がハンドルユニット４の裏面側に設けられ、これらが当接することで、ハンドルユニット４と撮像装置１の位置決めがなされる。更に、ノブ形状を設けたハンドル固定ビス４０１と、工具を使用するハンドル固定ビス４０２を、それぞれタップ部７ａに締結することにより、ハンドルユニット４は撮像装置１に取り付けられることになる。
【００１２】
簡易的な固定を目的とした場合は、ハンドル固定ビス４０１のみの固定としても良いが、より安定化を求める場合や、ハンドルユニット４へ大きな負荷がかかる撮影を目的とした場合は、ハンドル固定ビス４０２も使用することになる。このハンドル固定ビス４０１とハンドル固定ビス４０２は、ハンドルユニット４の長手方向すなわちＺ方向に沿って配置されている。
【００１３】
図６は、撮像装置１の主要な部品を示した分解斜視図である。撮像装置１には各種素子が実装されたメイン基板９が、不図示の撮像面と平行に配置されている。本実施例では撮像装置１の小型化を目的として、メイン基板９から分離したオーディオ基板１０を備えており、そのオーディオ基板１０をメイン基板９の上面側に配置している。後ほど詳細に述べることになるが、オーディオ基板１０は、樹脂からなる基板ホルダー１１と、上面保持プレート１２により保持される。
【００１４】
上面保持プレート１２はステンレス材からなる剛性の高い部品であり、他の構成部品と共に、撮像装置１の剛性を保っている。更に上面保持プレート１２には前述のタップ部７ａを設けた２つのタップベース７がビスで固定されている。固定ベース６は、このタップベース７に上面カバー５を挟んでビス５０ｒで締結される。この固定ベース６、タップベース７はステンレス材からなっている。そのため、前述のハンドルユニット４が取り付けられた場合でも、高い剛性感を保つことが可能となっている。
【００１５】
ハンドルユニット４を取り付けた場合、ハンドルユニット４が上面に突出した形状となっており、外部からの力や衝撃を受けやすい。更に、ユーザーがハンドルユニット４を保持した状態では、大きな力が加わることが考えられる。そのため、ハンドルユニット４への大きな負荷や衝撃が、固定ベース６やタップベース７を伝い、上面保持プレート１２に伝達されることになる。しかし、上述のように、ハンドルユニット４を構成する部品の剛性を高めることにより、ハンドルユニット４に大きな負荷や衝撃がかかった場合でも、ハンドルユニット４や撮像装置１の変形を最小限に抑えることが可能となっている。
【００１６】
本実施例では、撮像装置１の小型化等によるレイアウトを考慮した結果、オーディオ基板１０が上面側に配置されており、オーディオ基板１０のグランドの接続先を、上面保持プレート１２としている。すなわち、オーディオ基板１０は、基板ホルダー１１と上面保持プレート１２で保持される構成となっている。しかし前述のように、上面保持プレート１２には大きな負荷や衝撃力が加わることになるため、オーディオ基板１０への負荷や衝撃力を軽減することが必要となってくる。以下、本実施例における、オーディオ基板１０への負荷を軽減するための構成について、述べる。
【００１７】
まず、オーディオ基板１０の保持構成について述べる。図７、図８は、オーディオ基板１０を構成する部品の分解斜視図となっており、図９はその上面図である。更に図１０、図１１、図１２はそれぞれ構成部品の１つである上面保持プレート１２、基板ホルダー１１、オーディオ基板１０の各上面図である。それぞれ方向を揃えて示している。
【００１８】
図１０において、上面保持プレート１２には、本体部１２００から各腕部が構成され、腕部１２０１、腕部１２０２、腕部１２０３、腕部１２０４、腕部１２０５、腕部１２０６、腕部１２０７、腕部１２０８、腕部１２０９、腕部１２１０、腕部１２１１が設けられており、それぞれビス締結部となるビス穴１２０１ａ、ビス穴１２０２ｂ、ビス穴１２０４ｃ、ビス穴１２０５ｅ、ビス穴１２０６ｄ、ビス穴１２０７ｆ、ビス穴１２０８ｇ、ビス穴１２０９ｈを備えている。図１１において、基板ホルダー１１には、ビス締結部となるビス座１１ｃ、ビス座１１ｄ、ビス座１１ｇ、ビス座１１ｈ、ビス座１１ｉ、ビス座１１ｋ、を設けてある。基板ホルダー１１は樹脂製であり、弾性部材としている。更に、穴部１１ｗを設けているため、図７におけるＢ方向に撓みやすい形状となっている。
【００１９】
図１２において、オーディオ基板１０には、ビス締結部となる４つのビス穴、ビス穴１０ｃ、ビス穴１０ｄ、ビス穴１０ｉ、ビス穴１０ｋが設けてあり、４か所とも基板ホルダー１１に固定されることになる。また、オーディオ基板１０の光軸方向の外形をＮとする。
【００２０】
図７に示すように、オーディオ基板１０のビス穴１０ｋはビス５０ｋにより、放熱プレート１４を介して基板ホルダー１１に設けられたビス座１１ｋに固定される。この放熱プレート１４は本実施例において、熱伝導率に優れ、柔らかい銅材としており、放熱シート１５を介して、オーディオ基板１０から発生する熱を別の部材へ放熱する役割を果たしている。更に、オーディオ基板１０のビス穴１０ｄはビス５０ｄにより、上面保持プレート１２のビス穴１２０６ｄを介して基板ホルダー１１のビス座１１ｄに固定される。
【００２１】
更に図８に示すように、オーディオ基板１０のビス穴１０ｉは、ビス５０ｉにより、単独で基板ホルダー１１のビス座１１ｉへ固定される。更に、オーディオ基板１０のビス穴１０ｃは、ビス５０ｃにより、上面保持プレート１２のビス穴１２０４ｃを介して、基板ホルダー１１のビス座１１ｃに固定される。すなわち、図９において、基板ホルダー１１に対してオーディオ基板１０を固定している４箇所の固定ビスビス５０ｃ、ビス５０ｄ、ビス５０ｉ、ビス５０ｋのうち、ビス５０ｃとビス５０ｄの２か所のみ、上面保持プレート１２を介して締結している。
【００２２】
続いて、上面保持プレート１２と基板ホルダー１１の締結について説明する。図７において、ビス５０ｈにより、上面保持プレート１２のビス穴１２０９ｈと基板ホルダー１１のビス座１１ｈが固定される。また図８において、ビス５０ｇにより、上面保持プレート１２のビス穴１２０８ｇが基板ホルダー１１のビス座１１ｇに固定される。すなわち、ビス５０ｇ、ビス５０ｈにより、上面保持プレート１２はオーディオ基板１０を介さずに単独で基板ホルダー１１に固定される。
【００２３】
続いて、オーディオ基板１０周辺部品の、本体への固定について説明する。図１３、１４はオーディオ基板１０周辺部品について、主要な部品構成を示した分解斜視図である。図１３において、上面保持プレート１２のビス穴１２０１ａ、ビス穴１２０２ｂは、それぞれビス５０ａ、ビス５０ｂにより、前プレート１９に設けたタップ部１９ａ、タップ部１９ｂに固定される。同様にビス５０ｅ、ビス５０ｆにより、上面保持プレート１２のビス穴１２０５ｅ、ビス穴１２０７ｆはそれぞれダクトベース１７に設けたタップ部１７ｅ、タップ部１７ｆに固定される。
【００２４】
同様に、ビス５０ｍ、ビス５０ｎにより、背面カバー１８に設けたビス穴１８ｍ、ビス穴１８ｎは上面保持プレート１２のタップ部１２１０ｍ、タップ部１２１１ｎにそれぞれ固定される。これらの前プレート１９、ダクトベース１７、背面カバー１８は、本体の剛性を保つための構成部品となっている。
【００２５】
これらの構成から得られる効果を以下に説明する。図９において、まず、ハンドルユニット４からオーディオ基板１０への外力の伝達を考えると、ハンドルユニット４からの外力は、２つのタップベース７に伝わる。タップベース７から上面保持プレート１２の本体部１２００へ伝わり、腕部１２０３と腕部１２０６からオーディオ基板１０の締結部となるビス穴１２０４ｃ、ビス穴１２０６ｄへ伝わることになる。この本体部１２００と腕部１２０４、本体部１２００と腕部１２０６との接続部をそれぞれ支点Ｐ１、支点Ｐ２とする。すなわち、ハンドルユニット４からの外力は、上面保持プレート１２の支点Ｐ１、支点Ｐ２を介してオーディオ基板１０の締結部となるビス穴１２０４ｃ、ビス穴１２０６ｄへ伝達されることになる。
【００２６】
次にオーディオ基板１０の保持構造について再度述べる。オーディオ基板１０は、４つの固定ビスである、ビス５０ｃ、ビス５０ｄ、ビス５０ｉ、ビス５０ｋにより、基板ホルダー１１に固定されている。このうち、上面保持プレート１２とも締結されているのは、ビス５０ｃとビス５０ｄの２本のビスのみとしている。前述のように、オーディオ基板１０のグランド接続のためであるが、安定化させるために２か所を接続している。このように、全ての箇所（４箇所）で締結せず、できるだけ少ない箇所としていることにより、前述のような上面保持プレート１２に大きな負荷や衝撃力が加わった場合でも、オーディオ基板１０への負荷や衝撃力は軽減されることになる。
【００２７】
図１５はハンドルユニット４とその主要な周辺部品を示した上面図であり、図１６はそのＡ−Ａ断面図である。また図１７は図１６と同じ方向から見た側面図である。図１６に示すように、ハンドルユニット４を固定しているハンドル固定ビス４０１とハンドル固定ビス４０２は前述のようにＺ方向沿って配置されているため、上面保持プレート１２は図中Ｂに示すような、ハンドルユニット４の長手方向すなわちＺ方向に沿った変形が生じやすい。
【００２８】
前述の支点Ｐ１と支点Ｐ２のＺ方向上の位置を２点鎖線で示しているが、支点Ｐ１と支点Ｐ２の距離をＭとすると、上面保持プレート１２のＢ方向の変形に対し、距離Ｍが小さければ小さいほど、オーディオ基板１０への変形量は少なくなる。そのため本実施例では、できるだけＭを小さくとっており、図９、図１２に示すように、オーディオ基板１０のＺ方向の外形Ｎの１/２以下としている。すなわち、Ｍ＜（１／２）×Ｎの関係としている。このため、前述のＢ方向の変形が生じた場合でも、オーディオ基板１０の外形Ｎに対して小さくなっているため、オーディオ基板１０の破損が防止できることになる。
【００２９】
また、図１６において、支点Ｐ１と支点Ｐ２は、Ｚ方向におけるハンドル固定ビス４０１の中心４０１ａ、ハンドル固定ビス４０２の中心４０２ａと重ならない位置に配置されている。このため、ハンドルユニット４からの外力は上面保持プレート１２へ伝わるが、支点Ｐ１と支点Ｐ２に直接伝わらないため、図９におけるオーディオ基板１０の締結部であるビス穴１２０４ｃとビス穴１２０６ｄへの外力を減少させることが可能となっている。
【００３０】
また、この基板ホルダー１１と上面保持プレート１２は、図９におけるビス５０ｃ、ビス５０ｄ、ビス５０ｇ、ビス５０ｈで締結されている。更に、基板ホルダー１１を樹脂製の弾性体としており、図１１における穴部１１ｗも設けているため、Ｂ方向の変形に関して、基板ホルダー１１はオーディオ基板１０よりも撓みやすい形状となっている。そのため、ハンドルユニット４からの外力により、上面保持プレート１２が図７や図１６のＢ方向に変形した際、基板ホルダー１１も同じ方向に変形するため、基板ホルダー１１と締結されているオーディオ基板１０にも同様に変形する力が働く。
【００３１】
しかし、前述のように、基板ホルダー１１はオーディオ基板１０よりもＢ方向に関して十分に撓みやすい形状となっているため、上面保持プレート１２の変形を基板ホルダー１１で吸収することが可能となっている。すなわち、上面保持プレート１２のＢ方向の変形が及ぼす力を、オーディオ基板１０まで伝達しにくい構造となっている。
【００３２】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【００３３】
１ ・・・・ 撮像装置
２ ・・・・ キャップ
３ ・・・・ ファインダ部
４ ・・・・ ハンドルユニット
４０１ ・・・・ ハンドル固定ビス
４０２ ・・・・ ハンドル固定ビス
５ ・・・・ 上面カバー
６ ・・・・ 固定ベース
７ ・・・・ タップベース
７ａ ・・・・ タップ部
８ ・・・・ センサープレート
９ ・・・・ メイン基板
１０ ・・・・ オーディオ基板
１０ｃ ・・・・ ビス穴
１０ｄ ・・・・ ビス穴
１０ｉ ・・・・ ビス穴
１０ｋ ・・・・ ビス穴
１１ ・・・・ 基板ホルダー
１１ｃ ・・・・ ビス座
１１ｄ ・・・・ ビス座
１１ｇ ・・・・ ビス座
１１ｈ ・・・・ ビス座
１１ｉ ・・・・ ビス座
１１ｋ ・・・・ ビス座
１１ｗ ・・・・ 穴部
１２ ・・・・ 上面保持プレート
１２００ ・・・・ 本体部
１２０１ ・・・・ 腕部
１２０２ ・・・・ 腕部
１２０３ ・・・・ 腕部
１２０４ ・・・・ 腕部
１２０５ ・・・・ 腕部
１２０６ ・・・・ 腕部
１２０７ ・・・・ 腕部
１２０８ ・・・・ 腕部
１２０９ ・・・・ 腕部
１２１０ ・・・・ 腕部
１２１１ ・・・・ 腕部
１２０１ａ ・・・・ ビス穴
１２０２ｂ ・・・・ ビス穴
１２０４ｃ ・・・・ ビス穴
１２０５ｅ ・・・・ ビス穴
１２０６ｄ ・・・・ ビス穴
１２０７ｆ ・・・・ ビス穴
１２０８ｇ ・・・・ ビス穴
１２０９ｈ ・・・・ ビス穴
１２１０ｍ ・・・・ タップ部
１２１１ｎ ・・・・ タップ部
１３ ・・・・ フロントプレート
１３ａ ・・・・ 締結部
１４ ・・・・ 放熱プレート
１５ ・・・・ 放熱シート
１７ ・・・・ ダクトベース
１７ｅ ・・・・ タップ部
１７ｆ ・・・・ タップ部
１８ ・・・・ 背面カバー
１８ｍ ・・・・ ビス穴
１８ｎ ・・・・ ビス穴
１９ ・・・・ 前プレート
１９ａ ・・・・ タップ部
１９ｂ ・・・・ タップ部
４００ ・・・・ 把持部
４０１ａ ・・・・ 中心
４０２ａ ・・・・ 中心
５０ａ ・・・・ ビス
５０ｂ ・・・・ ビス
５０ｃ ・・・・ ビス
５０ｄ ・・・・ ビス
５０ｅ ・・・・ ビス
５０ｆ ・・・・ ビス
５０ｇ ・・・・ ビス
５０ｈ ・・・・ ビス
５０ｉ ・・・・ ビス
５０ｋ ・・・・ ビス
５０ｍ ・・・・ ビス
５０ｎ ・・・・ ビス
５０ｒ ・・・・ ビス
Ｐ１ ・・・・ 支点
Ｐ２ ・・・・ 支点
【図１】
2018146777.tif 000003
【図２】
2018146777.tif 000004
【図３】
2018146777.tif 000005
【図４】
2018146777.tif 000006
【図５】
2018146777.tif 000007
【図６】
2018146777.tif 000008
【図７】
2018146777.tif 000009
【図８】
2018146777.tif 000010
【図９】
2018146777.tif 000011
【図１０】
2018146777.tif 000012
【図１１】
2018146777.tif 000013
【図１２】
2018146777.tif 000014
【図１３】
2018146777.tif 000015
【図１４】
2018146777.tif 000016
【図１５】
2018146777.tif 000017
【図１６】
2018146777.tif 000018
【図１７】
2018146777.tif 000019